(57)【要約】【課題】二組の光源装置、二組の反射ミラーセット、一つのレンズ及び一つの画像キャプチャ装置により物品の両面走査を完成してコストを節約できる両面スキャン装置。【解決手段】走査方向上に走査エリアと透光エリアを具えた透光プラットフォームと、走査エリアの上方と下方にそれぞれ設置された上部光源装置と下部光源装置を包含する光源装置と、透光プラットフォームの上方と下方にそれぞれ設置された上部反射ミラーセットと下部反射ミラーセットを包含する反射ミラーセットと、透光プラットフォームの一方に設置されたレンズと、該レンズの一側に設置された画像キャプチャ装置と、を包含する。【選択図】図２
0003137464.tif 000002
【実用新案登録請求の範囲】
【請求項１】
走査対象の上面と下面に対して走査を行う両面スキャン装置において、
走査方向上に走査エリアと透光エリアを具えた透光プラットフォームと、
該透光プラットフォームの該走査エリアの上方と下方にそれぞれ設置されて該走査対象の上面と下面に光線を照射する上部光源装置と下部光源装置を包含する光源装置と、
該透光プラットフォームの上方と下方に設置された上部反射ミラーセットと下部反射ミラーセットを包含し、該上部反射ミラーセットと該下部反射ミラーセットは走査方向上にあって、該走査対象の上面と下面が反射する光線を反射し、並びに該上部反射ミラーセットと該下部反射ミラーセットの一方は更に走査方向にあって反射された光線を該透光プラットフォームの透光エリアに向けて反射する反射ミラーセットと、
該透光プラットフォームの一方に設置されたレンズと、
該透光プラットフォームの該レンズと同一方に設置され、且つ該画像キャプチャ装置は該レンズの一側に設置されて、該上部反射ミラーセットと該下部反射ミラーセットが反射して該レンズにより集められた光線を受け取る画像キャプチャ装置と、
を包含したことを特徴とする、両面スキャン装置。
【請求項２】
請求項１記載の両面スキャン装置において、該レンズの別の一側にプリズムが設置され、該プリズムは少なくとも二つの反射面を具えたことを特徴とする、両面スキャン装置。
【請求項３】
請求項２記載の両面スキャン装置において、該プリズム、レンズと画像キャプチャ装置が該透光プラットフォームの下方に設置されることを特徴とする、両面スキャン装置。
【考案の詳細な説明】
【技術分野】
【０００１】
本考案は一種のスキャン装置に係り、特にスキャナに応用される両面スキャン装置に関する。
【背景技術】
【０００２】
図１は周知の両面スキャン装置１００’を示し、それは下部スキャン装置１０’、上部スキャン装置２０’、及び下部スキャン装置１０’と上部スキャン装置２０’の間に位置する二つの透光プラットフォーム４０’を包含する。そのうち、二つの透光プラットフォーム４０’の間に走査チャネルが形成される。下部スキャン装置１０’は下部画像キャプチャ装置１１’、下部レンズ１２’、下部反射ミラーセット１３’及び下部光源装置１４’を包含する。該下部スキャン装置１０’の下部光源装置１４’部分に下部走査光線受信孔１５’が設けられている。上部スキャン装置２０’の構造は下部スキャン装置１０’の構造と同じであり、それは上部画像キャプチャ装置２１’、上部レンズ２２’、上部反射ミラーセット２３’、上部光源装置２４’及び上部走査光線受信孔２５’を包含する。
【０００３】
走査対象３０’に対して両面走査を行う時、走査対象３０’が二つの透光プラットフォーム４０’の間の走査チャネル内に進入すると、下部光源装置１４’と上部光源装置２４’が発射する光線はそれぞれ対応する透光プラットフォーム４０’を通り走査対象３０’の下面及び上面に照射される。該走査対象３０’の下面に反射された光線は順に、下部走査光線受信孔１５’、下部反射ミラーセット１３’、下部レンズ１２’を経て、下部画像キャプチャ装置１１’に集中して至り、該走査対象３０’の上面に反射された光線は、上部走査光線受信孔２５’、上部反射ミラーセット２３’、上部レンズ２２’を経て、上部画像キャプチャ装置２１’に集中して至り、こうして両面スキャン作業を完成する。
【考案の開示】
【考案が解決しようとする課題】
【０００４】
上述の周知の両面スキャン装置１００’の設計は二組のスキャン装置が走査対象３０’の下面及び上面に対して走査を行うため、下部レンズ１２’と上部レンズ２２’の二組のレンズ、及び下部画像キャプチャ装置１１’と上部画像キャプチャ装置２１’の二組の画像キャプチャ装置を必要とし、このため、この両面スキャン装置１００’の製造コストは高くなる。
【０００５】
本考案の目的は、上述の従来の技術の欠点に対して、製造コストが低い両面スキャン装置を提供することにある。
【課題を解決するための手段】
【０００６】
請求項１の考案は、走査対象の上面と下面に対して走査を行う両面スキャン装置において、
走査方向上に走査エリアと透光エリアを具えた透光プラットフォームと、
該透光プラットフォームの該走査エリアの上方と下方にそれぞれ設置されて該走査対象の上面と下面に光線を照射する上部光源装置と下部光源装置を包含する光源装置と、
該透光プラットフォームの上方と下方に設置された上部反射ミラーセットと下部反射ミラーセットを包含し、該上部反射ミラーセットと該下部反射ミラーセットは走査方向上にあって、該走査対象の上面と下面が反射する光線を反射し、並びに該上部反射ミラーセットと該下部反射ミラーセットの一方は更に走査方向にあって反射された光線を該透光プラットフォームの透光エリアに向けて反射する反射ミラーセットと、
該透光プラットフォームの一方に設置されたレンズと、
該透光プラットフォームの該レンズと同一方に設置され、且つ該画像キャプチャ装置は該レンズの一側に設置されて、該上部反射ミラーセットと該下部反射ミラーセットが反射して該レンズにより集められた光線を受け取る画像キャプチャ装置と、
を包含したことを特徴とする、両面スキャン装置としている。
請求項２の考案は、請求項１記載の両面スキャン装置において、該レンズの別の一側にプリズムが設置され、該プリズムは少なくとも二つの反射面を具えたことを特徴とする、両面スキャン装置としている。
請求項３の考案は、請求項２記載の両面スキャン装置において、該プリズム、レンズと画像キャプチャ装置が該透光プラットフォームの下方に設置されることを特徴とする、両面スキャン装置としている。
【考案の効果】
【０００７】
本考案の両面スキャン装置は二組の光源装置（下部光源装置と上部光源装置）、二組の反射ミラーセット（下部反射ミラーセットと上部反射ミラーセット）、一つのレンズ及び一つの画像キャプチャ装置により走査対象に対する両面走査を完成し、周知の技術と比較すると、一つのレンズと画像キャプチャ装置を節約でき、製造コストを節約できる。
【考案を実施するための最良の形態】
【０００８】
本考案の両面スキャン装置は、走査対象に対して両面走査を行うのに用いられ、それは、透光プラットフォーム、光源装置、反射ミラーセット、レンズ及び画像キャプチャ装置を包含する。該透光プラットフォームは走査方向上に走査エリアと透光エリアを具えている。該光源装置は該透光プラットフォームの該走査エリアの上方と下方にそれぞれ設置されてそれぞれ走査対象の上面と下面に光線を照射する上部光源装置と下部光源装置を包含する。該反射ミラーセットは該透光プラットフォームの上方と下方に設置された上部反射ミラーセットと下部反射ミラーセットを包含し、該上部反射ミラーセットと該下部反射ミラーセットは走査方向上にあって、走査対象の上面と下面が反射する光線を反射し、並びに上部反射ミラーセットと下部反射ミラーセットの一方は更に走査方向にあって反射された光線を該透光プラットフォームの透光エリアに向けて反射する。該レンズは透光プラットフォームの一方に設置される。該画像キャプチャ装置と該レンズは該透光プラットフォームの同一方に設置され、且つ該画像キャプチャ装置は該レンズの一側に設置されて、該上部反射ミラーセットと該下部反射ミラーセットが反射して該レンズにより集められた光線を受け取る。
【実施例１】
【０００９】
図２に示されるように、本考案の両面スキャン装置１００は、下部スキャン装置１０、上部スキャン装置２０、及び下部スキャン装置１０と上部スキャン装置２０の間に位置する透光プラットフォーム４０を包含する。そのうち、透光プラットフォーム４０は走査対象３０を載置するのに用いられる。
【００１０】
図２に示されるように、下部スキャン装置１０は画像キャプチャ装置１１、レンズ１２、下部反射ミラーセット１３、下部光源装置１４及び二つの反射面を有するプリズム１５を包含する。該下部光源装置１４が発射する光線は下方より走査対象３０に照射され、下部光源装置１４は透光プラットフォーム４０の下方で図中の矢印Ａの方向に沿って移動するか或いは該下部光源装置１４は固定されて不動で走査対象３０が図中の矢印Ａの方向に沿って移動し、これにより走査対象３０を走査する。本考案では、図中の矢印Ａの示す方向は走査方向と定められる。該下部反射ミラーセット１３は複数の反射ミラーで構成され、走査方向上で光線を反射して光線を走査方向上で伝播する。そのうち、反射ミラーの数量は具体的な実施状況により決定され、本実施例では反射ミラーの数は三個とされる。該プリズム１５は上下の二つの方向の光を同時に反射して上下の二つの方向の光を走査方向上で伝播し、該プリズム１５は多種類の形状を有し得る。レンズ１２と画像キャプチャ装置１１は走査方向上に設置される。
【００１１】
上部スキャン装置２０は上部反射ミラーセット２１と上部光源装置２２を包含する。上部反射ミラーセット２１は３片の反射ミラーで構成される。上部光源装置２２の発射する光線は上方より走査対象３０上に照射される。
【００１２】
透光プラットフォーム４０は走査方向上にあって、走査エリア４１と透光エリア４２に分けられる。該走査エリア４１は走査対象３０を放置するのに供され、それは下部光源装置１４の上方と上部光源装置２２の下方に位置する。該透光エリア４２はプリズム１５の上方に位置し、その作用は上部反射ミラーセット２１の反射する光線を透過させてプリズム１５に投射することにある。
【００１３】
走査対象３０の両面（すなわち下面と上面）を走査する時、下部光源装置１４と上部光源装置２２は走査方向上で移動するか、或いは走査対象３０が走査方向上で移動する。下部光源装置１４の発射する光線は走査対象３０の下面に照射され、該光線は走査対象３０の下面に反射されて下部反射ミラーセット１３の反射ミラーに反射されて走査方向上で伝播され、その後、反射光線はプリズム１５によりさらに反射されてレンズ１２に至り、レンズ１２がプリズム１５の反射した光線を画像キャプチャ装置１１に集める。最後に画像キャプチャ装置１１がその受信した光信号を電気信号に変換する。上部光源装置２２が発射した光線は上方より走査対象３０の上面に照射され、該光線は走査対象３０の上面に反射されて上部反射ミラーセット２１に投射され、該上部反射ミラーセット２１の３片の反射ミラーが走査対象３０の上面に反射された光線を走査方向上で伝播して更に透光プラットフォーム４０の透光エリア４２に向けて垂直に反射し、透光エリア４２に向けて投射された光線はその後、プリズム１５に反射されてレンズ１２により画像キャプチャ装置１１上に集められ、最後に画像キャプチャ装置１１がその受信した光信号を電気信号に変換する。
【００１４】
上述したように、本考案の両面スキャン装置１００は二組の光源装置（下部光源装置１４と上部光源装置２２）、二組の反射ミラーセット（下部反射ミラーセット１３と上部反射ミラーセット２１）、一つのレンズ１２及び一つの画像キャプチャ装置１１により、走査対象３０に対する両面走査を完成し、周知の技術と比較すると、一つのレンズと画像キャプチャ装置を節約し、これにより製造コストを節約できる。
【００１５】
総合すると、本考案の両面スキャン装置１００は上述に記載の構造により、上述の機能を達成し、且つ本考案は実用新案登録の要件に符合する。なお、以上の説明は本考案の実施範囲を制限するものではなく、本考案の技術の属する分野における通常の知識を有する者が本考案の精神に基づきなし得る同等の修飾或いは変更は本考案の請求範囲に属するものとする。
【図面の簡単な説明】
【００１６】
【図１】周知の両面スキャン装置の走査表示図である。
【図２】本考案の両面スキャン装置の走査表示図である。
【符号の説明】
【００１７】
１００’  両面スキャン装置              １０’  下部スキャン装置
１１’  下部画像キャプチャ装置          １２’  下部レンズ
１３’  下部反射ミラーセット            １４’  下部光源装置
１５’  下部走査光線受信孔              ２０’  上部スキャン装置
２１’  上部画像キャプチャ装置          ２２’  上部レンズ
２３’  上部反射ミラーセット            ２４’  上部光源装置
２５’  上部走査光線受信孔              ３０’  走査対象
４０’  透光プラットフォーム
１００  両面スキャン装置                １０  下部スキャン装置
１１  画像キャプチャ装置                １２  レンズ
１３  下部反射ミラーセット              １４  下部光源装置
１５  プリズム                          ２０  上部スキャン装置
２１  上部反射ミラーセット              ２２  上部光源装置
３０  走査対象                          ４０  透光プラットフォーム
４１  走査エリア                        ４２  透光エリア
【図１】
0003137464.tif 000003
【図２】
0003137464.tif 000004